(57)【要約】【課題】温水洗浄装置を備えていると言えども便器全体をコンパクト化してすっきりとした外観にできる。【解決手段】便器５内に人体の局部を洗浄するための温水洗浄装置２１ａを内装し、便器５の壁部に温水洗浄装置２１ａを操作するための操作スイッチ７を設ける。【選択図】図１
2008095453.tif 000002
【特許請求の範囲】
【請求項１】
便器内に人体の局部を洗浄するための温水洗浄装置を内装し、便器の壁部に温水洗浄装置を操作するための操作スイッチを設けて成ることを特徴とする便器。
【請求項２】
便器内に人体の局部を洗浄するための温水洗浄装置、人体の局部を乾燥するための送風装置を設け、便器の壁部に温水洗浄装置、送風装置を操作するための操作スイッチを設けて成ることを特徴とする便器。
【請求項３】
便器の側壁部のリム部上面よりも下方位置で且つリム部よりも後方位置に側方に開口した凹所を設け、該凹所内に操作スイッチを設けて成ることを特徴とする請求項１又は請求項２記載の便器。
【発明の詳細な説明】
【技術分野】
【０００１】
本発明は、内部に温水洗浄装置を内装した便器に関するものである。
【背景技術】
【０００２】
従来は、図８に示すように、便器５０の後部上面に別体の温水洗浄便座装置５１を載置して取付けていた。この温水洗浄便座装置５１は通常リモコン５２により操作するようにしているが、このリモコン５２による操作に加え、更に温水洗浄便座装置５１のケース５４に予備用として操作スイッチ５３を設けて、該操作スイッチ５３を操作することによっても温水洗浄便座装置５１の操作ができるようにしている（例えば、特許文献１参照）。
【０００３】
しかしながら、上記従来例にあっては、便器５０に別体の温水洗浄便座装置５１を載置して取付けるので外観が悪く、また、コンパクトに出来ないという問題があった。しかも、従来は温水洗浄便座装置５１のケース５４の側部にリム部５５の側方に沿って前方に突出する腕部５４ａを設け、この腕部５４ａの上面に操作スイッチ５３を設けてあるので、操作スイッチ５３を設けた腕部５４ａが邪魔になり、また、操作スイッチ５３を設けた腕部５４ａを突出することで見苦しくなるという問題があり、更に、汚水の飛散水などがリム部５５の側方に位置する操作スイッチ５３にかかる恐れがあって、衛生的でないという問題があった。
【特許文献１】特開２００６−３４９９３号公報
【発明の開示】
【発明が解決しようとする課題】
【０００４】
本発明は上記の従来の問題点に鑑みて発明したものであって、温水洗浄装置や送風装置を備えていると言えども便器全体をコンパクト化してすっきりとした外観にでき、また、温水洗浄装置や送風装置を操作する操作スイッチが前方から見え難くていっそう便器の外観を良くし、更に、汚水の飛散水が操作スイッチにかからないようにできる便器を提供することを課題とするものである。
【課題を解決するための手段】
【０００５】
上記課題を解決するために本発明に係る便器は、便器５内に人体の局部を洗浄するための温水洗浄装置２１ａを内装し、便器５の壁部に温水洗浄装置２１ａを操作するための操作スイッチ７を設けて成ることを特徴とするものである。
【０００６】
このような構成とすることで、便器５自体に温水洗浄装置２１ａを内装してあるので、従来のように便器５上に別体の温水洗浄装置２１ａを載設して取付けるものに比べて便器全体をコンパクト化してすっきりした外観にできる。また、便器５の壁部に操作スイッチ７を設けてあるので、便器５に載置した従来の温水洗浄装置２１ａのように、リム部に沿って前方に突出する腕部を設けると共に該腕部上面に操作スイッチ７を設けるものに比べて、操作スイッチ７の取付け部分が邪魔にならず、この点でも便器全体をコンパクト化してすっきりした外観にできる。
【０００７】
また、便器５内に人体の局部を洗浄するための温水洗浄装置２１ａ、人体の局部を乾燥するための送風装置２１ｂを設け、便器５の壁部に温水洗浄装置２１ａ、送風装置２１ｂを操作するための操作スイッチ７を設けて成ることが好ましい。
【０００８】
このような構成とすることで、便器５自体に温水洗浄装置２１ａ、送風装置２１ｂを内装してあるので、従来のように便器５上に別体の送風装置２１ｂ付きの温水洗浄装置２１ａを載設して取付けるものに比べて便器全体をコンパクト化してすっきりした外観にできる。また、便器５の壁部に温水洗浄装置２１ａ、送風装置２１ｂの操作スイッチ７を設けてあるので、温水洗浄装置２１ａ、送風装置２１ｂの操作スイッチ７の取付け部分が邪魔にならず、この点でも便器全体をコンパクト化してすっきりした外観にできる。
【０００９】
また、便器５の側壁部のリム部上面よりも下方位置で且つリム部よりも後方位置に側方に開口した凹所８を設け、該凹所８内に操作スイッチ７を設けることが好ましい。
【００１０】
このような構成とすることで、前方から見て操作スイッチ７が見えない又は見え難くなり、よりすっきりした外観の便器５とすることができる。また、汚水の飛散水が操作スイッチ７にかかり難い。
【発明の効果】
【００１１】
本発明は、上記のように、温水洗浄装置（又は温水洗浄装置、送風装置）が便器自体の内部に収納してあるので、便器全体をコンパクト化してすっきりとした外観にでき、しかも、温水洗浄装置（又は温水洗浄装置、送風装置）の操作スイッチが便器とは別の部材に設けられて便器から側方に突出した位置に設けられないので、この点でも便器全体をコンパクト化してすっきりとした外観にできる。
【００１２】
また、便器の側壁部のリム部上面よりも下方位置で且つリム部よりも後方位置に側方に開口した凹所を設け、該凹所内に操作スイッチを設けることで、前方から操作スイッチが見えない又は見え難くなり、よりすっきりした外観の便器とすることができ、また、汚水の飛散水が操作スイッチにかかり難くて衛生的である。
【発明を実施するための最良の形態】
【００１３】
以下、本発明を添付図面に示す実施形態に基いて説明する。便器５にはボウル部１が設けてあり、ボウル部１の上端開口縁部には全周にわたってリム部２が設けてあり、このリム部２の内周部はボウル部１内側に向けて突出していている。
【００１４】
ボウル部１の上端開口縁部に設けたリム部２の下面側には案内凹部３を形成してあり、この案内凹部３は全長にわたってボウル部１内に向けて側方が開口して側方開口となっている。
【００１５】
添付図面に示す実施形態においては、ボウル部１を備えた便器５はその主体部分が合成樹脂製となっているが、陶器製であってもよい。
【００１６】
添付図面に示す実施形態では、便器５は、図１乃至図４に示すように、ボウル部１を備えた前パーツ１０と、後パーツ１１と、支持フレーム１２とで構成してあり、便器５の主体を構成する前パーツ１０、後パーツ１１は共に合成樹脂製である。
【００１７】
前パーツ１０は水平断面略Ｃ字状をしたスカート部１３と、スカート部１３内の上部に嵌め込んで溶着一体化されたボウル部１と、更にボウル部１の上に嵌め込んでボウル部１の上端縁部及びスカート部１３の上端縁部に溶着一体化されたリム部２とで構成してある。
【００１８】
スカート部１３の前部の左右両側壁の下部には便器を設置する床面を照らす床面照明手段９と、小鳥の鳴き声や清流の音等を出すためのスピーカ４０とが設けてある。
【００１９】
後パーツ１１は、上カバー１６、装置支持ケース１７、リアカバー１８、上サイドカバー１９、下サイドカバー２０により構成してあり、これらはいずれも合成樹脂製である。
【００２０】
支持フレーム１２は金属製であって、前パーツ１０を支持フレーム１２にねじ具により取付け、後パーツ１１の装置支持ケース１７に局部洗浄用の温水洗浄装置２１ａ、局部乾燥用の送風装置２１ｂ、ボウル部１内の臭気を脱臭するための脱臭装置２１ｃ、人体検知センサ（図示せず）、ＬＥＤのような発光部よりなる照明手段６、洗浄水噴出部４を構成する洗浄ノズル４ａ等の便器付属装置２１が取付けてあり、この装置支持ケース１７を支持フレーム１２にねじ具により取付けて支持してある。上カバー１６は装置支持ケース１７を覆うようにして取付けられるもので、上カバー１６には便座２２、便蓋２３が回動自在に取付けてある。リアカバー１８は、装置支持ケース１７や支持フレーム１２に取付けてあり、上サイドカバー１９はリアカバー１８に着脱自在に取付けてあり、下サイドカバー２０は上サイドカバー１９に着脱自在に係止して位置決めした状態で磁石により支持フレーム１２に対して着脱自在に取付けてある。
【００２１】
このようにして支持フレーム１２に前パーツ１０、後パーツ１１を取付けて便器５を構成するのであるが、後パーツ１１を構成する複数の部材のうちの一部材である装置支持ケース１７に設けた温水洗浄装置２１ａ、送風装置２１ｂ、脱臭装置２１ｃ、人体検知センサ、照明手段６、洗浄水噴出部４等の便器付属装置２１は便器５の後部の上面部を構成する上カバー１６を取付けることで覆われることで、便器付属装置２１が完全に便器５内に内装されることになる。
【００２２】
前パーツ１０のスカート部１３、後パーツ１１の装置支持ケース１７、上カバー１６、リアカバー１８、上サイドカバー１９、下サイドカバー２０により便器５の壁部が構成してあるが、本発明においては便器５の壁部に温水洗浄装置２１ａの諸操作（オン、オフ、流速調整、温度調整等）を行うための操作スイッチ７、送風装置２１ｂの諸操作（オン、オフ、流速調整、温度調整等）をそれぞれ操作するための操作スイッチ７が設けてある。
【００２３】
添付図面に示す実施形態では、後パーツ１１の両側の上サイドカバー１９のうち一方の上サイドカバー１９には凹所８が設けてあって、該凹所８内に温水洗浄装置２１ａの操作スイッチ７、送風装置２１ｂの操作スイッチ７が設けてある。該操作スイッチ７は凹所８より飛び出さないように設けるのが好ましい。この操作スイッチ７を設ける凹所８は壁部のリム部２の上面よりも下位置で且つリム部２よりも後方位置に形成される。
【００２４】
ボウル部１の底部の後部には後方向に向けて排水筒部１４ａを突設してあり、この排水筒部１４ａにはトラップの一端部が接続される。本実施形態ではトラップはターントラップ方式のもので、フレキシブルなトラップ筒（図示せず）により構成してあり、モータ（図示せず）によりトラップ筒を回動して、トラップ筒が上向きＵ字状となったトラップ構造となる状態と、略逆Ｌ字状となってトラップ構造が解除される状態とを選択できるようになっており、通常はトラップ筒が上向きＵ字状となったトラップ構造となっていてボウル部１内の下部、排水筒部１４ａ、トラップ筒内に水が溜まった状態となっていて、この状態で大便や小便を行い、大便や小便が終わると、後述のように洗浄水を流すと共に、トラップ筒を回動してトラップ構造を解除する状態にして、汚物と共に汚水を排水するようになっている。上記フレキシブルなトラップ筒、モータ等はトラップケース３４内に収納してあり、該トラップケース３４は金属製の支持フレーム１２に取付けてある。なお、トラップケースの下部は開口していてトラップ筒の端部が床に形成される排水筒に接続される。
【００２５】
添付図面に示す実施形態においては、図６、図７に示すように、ボウル部１の上端開口縁部の全周にわたって形成したリム部２の後部の内周面には温水洗浄装置２１ａに設けた洗浄ノズル２４をボウル部１内に出し入れするための洗浄ノズル出し入れ用開口部２５を設けると共に送風装置２１ｂのダクト先端部から噴出する温風又は冷風をボウル部１内に吹き出すための送風用開口部２６が左右に並べて設けてあり、また、リム部２の後端部の下面には上記洗浄ノズル出し入れ用開口部２５、送風用開口部２６から左右方向にずれた位置に、脱臭装置２１ｃに連通するボウル部１内臭気を吸込むための脱臭用開口部２７を設けると共に、ボウル部１内を明るく照らすためのＬＥＤのような発光部よりなる照明手段６が臨む発光用開口部２９が設けてある。
【００２６】
便座２２を倒した際に便座２２が載置されるリム部２の下面側は全周にわたって側方に開口した案内凹部３となっているが、この案内凹部３の後端部の左右方向の一端部には洗浄水噴出部４を構成する洗浄ノズル４ａが嵌め込まれる洗浄ノズル嵌め込み口３０が設けてあり、該洗浄ノズル嵌め込み口３０の側部が仕切り壁部となっている。したがって、洗浄水噴出部４から案内凹部３の後端部の左右方向の一端部に噴出された洗浄水は案内凹部３内を旋回しながら流れつつ一部が案内凹部３の側方開口の下端縁部部分から徐々にボウル部１内に旋回流となって流れ、この旋回流によりボウル部１内が洗浄されることになる。
【００２７】
上記のような構成の便器５において、温水洗浄装置２１ａや、送風装置２１ｂの諸操作を行うには通常はリモコン（図示せず）を操作することで行うようになっている。
【００２８】
一方、リモコンが故障したり、あるいは、電池切れにより使用できないような場合は、便器５の壁部に設けた操作スイッチ７を操作して温水洗浄装置２１ａや、送風装置２１ｂを操作する。
【００２９】
上記の予備のための操作スイッチ７は便器５の壁部に設けてあるので、便器５に載置して取付ける従来の温水洗浄装置のように、リム部に沿って前方に突出する腕部を設けると共に該腕部上面に操作スイッチ７を設けるものに比べて、操作スイッチ７の取付け部分が邪魔にならず、便器全体をコンパクト化してすっきりした外観にできるものである。
【００３０】
また、操作スイッチ７は便器５の側壁部のリム部２よりも後方位置に設けた側方に開口した凹所８内に設けてあるので、図５に示す実施形態のように便器５の前方から見た場合、操作スイッチ７が全く見えないか、又は、見えたとしても、ごく一部がわずかに見えるだけであり、このため、よりすっきりした外観の便器５とすることができることになるとと共に、操作スイッチ７に汚水の飛散水がかかり難くなって衛生的となる。
【００３１】
また、局部の温水洗浄や乾燥を考慮すると温水洗浄装置２１ａや、送風装置２１ｂは便器５の後部の上部内に配置するのが最も好ましいのであるが、この場合、便器５の側壁部のリム部２の上面よりも下方位置で且つリム部２よりも後方位置に操作スイッチ７が設けてあるので、操作スイッチ７を温水洗浄装置２１ａや、送風装置２１ｂの側方に配置できて最適の配置関係とすることができ、配線等を短くできる。
【００３２】
なお、操作スイッチ７として、温水洗浄装置２１ａや、送風装置２１ｂの操作スイッチ７に加え、洗浄水吐出部４からの洗浄水の吐出を行わせるための予備の操作スイッチ７を凹所８に設けてもよく、更に、照明手段６や床面照明手段９の点灯、消灯を行う操作スイッチ７を凹所８に設けてもよい。
【００３３】
また、上記実施形態においてはターントラップ式の便器５の例で説明したが、これにのみ限定されず、サイフォン式やサイフォンジェット式、あるいは洗い流し式のものであってもよい。
【図面の簡単な説明】
【００３４】
【図１】本発明の便器の斜視図である。
【図２】同上の分解斜視図である。
【図３】同上の断面図である。
【図４】同上の側面図である。
【図５】同上の正面図である。
【図６】同上の前パーツの分解斜視図である。
【図７】同上のリム部の下面図である。
【図８】従来例の斜視図である。
【符号の説明】
【００３５】
５  便器
７  操作スイッチ
８  凹所
【図１】
2008095453.tif 000003
【図２】
2008095453.tif 000004
【図３】
2008095453.tif 000005
【図４】
2008095453.tif 000006
【図５】
2008095453.tif 000007
【図６】
2008095453.tif 000008
【図７】
2008095453.tif 000009
【図８】
2008095453.tif 000010